【事件の表示】
　特願２００２−　７４５７０「感光性レタープレス印刷用原版」拒絶査定不服審判事件〔平成１５年　９月２５日出願公開、特開２００３−２７０７９２〕について、次のとおり審決する。
【結　論】
　本件審判の請求は、成り立たない。
【理　由】
１．手続の経緯・本願発明
　本願は、平成１４年３月１８日の出願であって、その請求項１に係る発明（以下「本願発明」という。）は、平成１７年３月７日付け手続補正書で補正された明細書の記載からみて、特許請求の範囲の請求項１に記載された以下のとおりのものである。
「【請求項１】支持体、感光性樹脂層、ＩＲアブレーション層およびカバーフィルムを有する感光性レタープレス印刷用原版であって、ＩＲアブレーション層が、ＩＲ吸収性金属層のみからなり、かつ、当該金属層が感光性樹脂層に接触配置されてなる、感光性レタープレス印刷用原版。」
　
２．引用刊行物の記載内容 
　原審における拒絶の理由に引用され、本願出願前に頒布された刊行物である特開昭５０−１０２４０１号公報（以下「刊行物１」という。）には以下の事項が記載されている。
(ア)「(1)　紫外線に感応する材料よりなる層と、前記層を被い、紫外線に対して不透明であつて、非化学線レーザー輻射によつて除去されるか又は紫外線に対して透明となることが可能な第２の層とを有することを特徴とする平版プリンテイングプレート。
(2)　紫外線に感応する材料よりなる層と、前記層を被い、紫外線に対して不透明であつて非化学線レーザー輻射により除去されるか又は紫外線に対して透明となることが可能な第２の層とを有する平版プリンテイングプレートを像形成する方法において、紫外線に対して不透明な層の領域を非化学線レーザー輻射によつて選択的に除去するか又は紫外線に対して透明となし、前記プレート全体を紫外線に露出し、紫外線に対して不透明な層の残りの部分を除去し、そして前記プレートを現像するという諸段階を含むことを特徴とする前記方法。」（特許請求の範囲第１、２項）
(イ)「紫外線に対して不透明で、非化学線レーザーの輻射によつて取り除かれあるいは紫外線を透過することの可能な材料の層は、金属層あるいは有機接合材内で金属又は炭素粒子を拡散したものでよい。アルミニウム、銅及び亜鉛を含むものが適当な金属である。金属フイルムは紫外線に対して不透明であるのに十分なほどの厚さを持つていなけれはならず、又この目的のためにレーザーによつて与えられる輻射エネルギーの最小量によつて速やかに蒸気化され取り除かれるべき程度に実質的に薄く作られねばならない。例として、厚さ２５.４×１０−４ミクロン（１マイクロインチ）程度の亜鉛のフイルムはこの要求を満たす。そのような厚さの金属フイルムを作る適当な方法は真空沈着である。金属の層はＰ.Ｓプリンテイングプレートの感応面上に直接施こされ」（２頁左下欄１６行〜右下欄１１行）
(ウ)「以下の例に於いて、ネガのジアゾ成分、即ちｐ−ジアゾフエニルアミン−フオルムアルデヒドの凝縮生成物及び硫酸ナトリウムロウリル（Sodiumlauryl sulfate）の反応生成物が使用された。ここで用いられたレーザーはＹＡＧ（リツトリウムアルミニウムガーネット）レーザーであつた。
例　Ｉ
　　　　
アルミニウムマスクの使用の説明プレート
　この乾燥コーテイングの上から真空にて蒸気から３００オングストロームアルミニウム層（ マスク ）が沈着された。
処　理
　プレート全体は６０秒間カーボンアークに露出され、それによつて、もはや、マスクされた紫外線に感応する領域は光重合（ Photopolyncerised ）された。
　残りのマスクは、２％の水酸化カリウム水溶液を使用して除去された。
　露光されなかつた紫外線感応層は次に低減現像剤（ Subtractive developer ）を与えることによつて取除かれた。」（３頁左上欄１１行〜右上欄１７行）
　
　同じく特開２００１−３５６４９１（以下「刊行物２」という。）には以下の事項が記載されている。
(エ)「【請求項１】  下記の段階：（ａ）第１の剥離可能な支持体（１）、像記録層（２）及接着剤層（３）を示された順序で含んで成る材料を、支持体（７）、紫外線感光性層（６）を含んで成る紫外線感光性材料にラミネーションし、その際接着剤層（３）は紫外線感光性層（６）にラミネーションされ、
（ｂ）像記録層（２）を像通りに露光してマスクを形成し、
（ｃ）紫外線感光性材料を該マスクを通してフラッド露光し、
（ｄ）紫外線感光性材料を現像する、段階を含んで成り、その際剥離可能な支持体（１）は段階（ｂ）、（ｃ）又は（ｄ）の前に除去され、そして段階（ａ）〜（ｄ）は２カ月より短い期間内に行われるレリーフ像の現場での製造方法。
【請求項２】  紫外線感光性材料が紫外線感光性層の上に追加の層（５）を更に含んで成り、そして接着剤層（３）が追加の層（５）の上ににラミネーションされる請求項１に記載の方法。
・・・・・・・・・・・・・・・・・・・・・・・・・・・・・・・・・・
【請求項４】  像記録層（２）が薄い金属層である請求項１に記載の方法。
・・・・・・・・・・・・・・・・・・・・・・・・・・・・・・・・・・
【請求項１５】  該紫外線感光性材料が平版印刷版前駆体である請求項１に記載の方法。
【請求項１６】  該紫外線感光性材料がフレキソ印刷版前駆体である請求項１に記載の方法。
・・・・・・・・・・・・・・・・・・・・・・・・・・・・・・・・・」
(オ)「【００２３】本発明の他の好ましい態様では、像記録層（２）は薄い金属層である。この金属層のレーザ露光は、露光した区域を溶融又は蒸発させることにより露光した区域の融除（ａｂｌａｔｉｏｎ）を生じさせ、溶融して表面張力により収縮させ、それにより小さなキヤビテイ又は孔が形成され、それを紫外線が通過することができ、そして密度が照射されたレーザエネルギーに依存して或るＤmin値に低下する。この像記録層（２）のための可能な金属は、Ｍｇ、Ｓｃ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｓｎ、Ａｓ、Ｓｂ、Ｂｉ、Ｓｅ、Ｔｅを包含する。これの金属は単独で又はそれらの少なくとも２つの金属の混合物もしくは合金として使用することができる。Ｍｇ、Ｚｎ、Ｉｎ、Ｓｎ、Ｂｉ及びＴｅはそれらの低い融点により好ましい。最も好ましいものはＢｉである。金属酸化物、金属カルコゲニド（ｍｅｔａｌ  ｃｈａｌｃｏｇｅｎｉｄｅｓ）、少なくとも２つの金属の合金及びこれらの異なる種の混合物を使用することができる。金属像記録層は、蒸着（ｖａｐｏｕｒ  ｄｅｐｏｓｉｔｉｏｎ）、スパッタリング、イオンメッキ（ｉｏｎ  ｐｌａｔｉｎｇ）、化学蒸着、電解メッキ又は無電解メッキにより施すことができる。Ｂｉの好ましい場合には、記録層は好ましくはＥＰ−Ａ−３８４，０４１に開示されているように真空中の蒸着により与えられる。」
(カ)「【００２９】本発明の方法に従えば、もし存在するならば、第２の剥離可能な支持体（４）は上記した材料から除去される。その後、この材料は接着剤層で紫外線感光性層（６）又は保護層（５）上にラミネーションされる。像記録層（２）を像通りに露光する前に、第１剥離可能な支持体（１）を除去することができる。しかる後材料は像通りに照射される。像通りの露光に使用される好ましい装置はＮｄ／ＹＡＧレーザ（１０６４ｎｍ）又はダイオードレーザ（例えば、８３０ｎｍ）である。
【００３０】像通りの露光の後、材料をマスクを通して紫外線によるフラッド露光に付す。これは、像記録層（２）により覆われていない紫外線感光性層（６）の区域が現像剤（ｄｅｖｅｌｏｐｅｒ）中で不溶性になるか（例えば光重合又は光架橋によるネガティブ作用性紫外線感光性材料）又は可溶化する（ポジティブ作用性紫外線感光性材料）ことを引き起こす。フラッド露光のための適当な光源はカーボンアーク、水銀蒸気アーク（ｍｅｒｃｕｒｙ−ｖａｐｏｒ  ａｒｃｓ）、蛍光ランプ（ｆｌｕｏｒｅｓｃｅｎｔ  ｌａｍｐ）、フラッシュユニット（ｆｌａｓｈｕｎｉｔｓ）及び写真用フラッドランプ（ｐｈｏｔｏｇｒａｐｈｉｃ  ｆｌｏｏｄ  ｌａｍｐｓ）を包含する。別法として、第１の剥離可能な支持体（１）は像記録層（２）を像通りに露光する前に除去されない。それは像通りの露光の後又はフラッド露光の後に除去することができる。
【００３１】フラッド露光の後、紫外線照射された材料を現像する。現像剤として水性又は有機溶媒又は溶媒混合物を使用することができる。適当な現像剤溶液は紫外線感光性層（６）の露光した区域又は露光しなかった区域並びにマスクを１つの現像段階で溶解することができる。」
　
３．対比・判断
　刊行物１には、アルミ基板に、ｐ−ジアゾフエニルアミン−フオルムアルデヒドの凝縮生成物及び硫酸ナトリウムロウリルの反応生成物であるネガのジアゾ成分を含む紫外線感応コーテイングと、その上に、紫外線に対して不透明であつて、非化学線レーザー輻射によつて除去されるアルミニウム層とを有する平版プリンティングプレートの発明〔(ア)〜(ウ)参照〕が記載されている。
　そこで、本願発明と刊行物１に記載の発明とを対比すると、
　後者において、ネガのジアゾ成分を含む紫外線感応コーテイングは、紫外線感応で光重合するのであるから感光性樹脂層のことであり、
　非化学線レーザーとして、ＹＡＧレーザーを用いて金属のアルミニウム層を除去しており、ＹＡＧレーザーは波長１０６４ｎｍの赤外線（ＩＲ）レーザーである。
　そうすると、後者の「アルミ基板」、「ネガのジアゾ成分を含む紫外線感応コーテイング」、「紫外線に対して不透明であつて、非化学線レーザー輻射によつて除去されるアルミニウム層」、「プリンティングプレート」は、前者の「支持体」、「感光性樹脂層」、「ＩＲ吸収性金属層」、「印刷用原版」にそれぞれ相当するから、
　両者は「支持体、感光性樹脂層およびＩＲアブレーション層を有し、ＩＲアブレーション層が、ＩＲ吸収性金属層のみからなり、かつ、当該金属層が感光性樹脂層に接触配置されてなる、感光性印刷用原版。」である点で一致し、次の点で相違する。
・相違点１：感光性印刷用原版について、前者では、レタープレス印刷用原版であるのに対して、後者では平版印刷用原版である点。
・相違点２：ＩＲアブレーション層の上に、前者では、カバーフィルムを有するのに対して、後者ではそうではない点。
　
　上記相違点１、２について検討する。
・相違点１について
　刊行物２には、紫外線感光性材料により平版印刷版あるいはフレキソ印刷版を製造すること〔(エ)参照〕が記載されており、フレキソ印刷版は凸版印刷版である。そして、本願発明はレタープレス印刷用原版であるが、レタープレスは、例えば特開平１−１７９１５４号公報、特開平４−２５１２５５号公報、特表平１０−５０９２５４号公報等に記載されるように周知であって、本願明細書の記載（【０００２】）にも記載されるように、フレキソ印刷版と同じ凸版印刷版である。
　そうすると、刊行物１に記載の、平版印刷用原版の感光性樹脂層を、刊行物２に記載の、凸版印刷版であるレタープレス印刷用原版の感光性樹脂層にすることは、当業者が容易に想到し得たことである。
　
・相違点２について
　刊行物２には、第１の剥離可能な支持体（１）、像記録層（２）及び接着剤層（３）を有する材料を、支持体（７）、紫外線感光性層（６）を有する紫外線感光性材料にラミネーションしてフレキソ印刷版とすること〔(エ)参照〕、及び像記録層にはアルミニウム等の各種の薄い金属層を用いて、レーザー照射により像露光してアブレーションをすること〔(オ)参照〕が記載されている。
　そのラミネーションしたフレキソ印刷版では、像記録層の上に第１の剥離可能な支持体を有することになり、そのような第１の剥離可能な支持体は像露光する前には除去するものであるから〔(カ)参照〕、像記録層をカバーして保護するものであり、本願発明のＩＲアブレーション層上のカバーフィルムに相当するものである。
　よって、刊行物２には、像記録層の上にカバーフィルムを設け像記録層を保護することが開示されているといえる。
　してみると、フレキソ印刷版と同じ凸版印刷版の原版であるレタープレス印刷用原版のＩＲアブレーション層の上にカバーフィルムを設けることは、刊行物１、２の記載から当業者が容易に想到し得たことである。
　そして、本願発明が特に予想し得ないような効果を奏したとはいえない。
　したがって、本願発明は、刊行物１、２に記載された発明に基いて当業者が容易に発明をすることができたものである。
　
４．結論
　以上のとおり、本願の請求項１に係る発明は、本願出願前に頒布された刊行物１、２に記載された発明に基いて当業者が容易に発明をすることができたものと認められるから、特許法第２９条第２項の規定により特許を受けることができない。
　よって、結論のとおり審決する。